(57)【要約】【課題】１つのクロスボルトに対して１つのナットを締結した場合にナットの緩みを防止することができるクロスボルト用ナット締結装置及びクロスボルト用ナット締結方法を提供する。【解決手段】穴開きナット３０の外側の側面の１つである側面３１には、穴開きナット３０の外側と内側とを貫通する貫通穴３２が形成されている。貫通穴３２には、コイルばね４０が挿入されている。コイルばね４０は、右雌ねじ溝３４に沿って右雌ねじ部３３を右回りに移動する。コイルばね４０がクロスボルトの左雄ねじ部溝の位置に入り配置されることにより、クロスボルトの右雄ねじ溝の一部がコイルばね４０により塞がれる。すると、右雌ねじ部３３と右雄ねじ部との螺合により穴開きナット３０がクロスボルトに対して回転しようとする動きがコイルばね４０により防止される。【選択図】図７
2019120330.tif 000002
【特許請求の範囲】
【請求項１】
右雄ねじ部及び左雄ねじ部が設けられたクロスボルトと、
前記クロスボルトに螺合可能なナットと、
変形可能な細長部材と
を備えるクロスボルト用ナット締結装置であって、
前記右雄ねじ部は右雄ねじ溝を有し、
前記左雄ねじ部は左雄ねじ溝を有し、
前記ナットは、
前記ナットの内側に設けられた雌ねじ部と、
前記ナットの外側と前記雌ねじ部とを貫通する貫通穴と
を有し、
前記細長部材は、前記貫通穴に配置されると共に前記右雄ねじ溝又は前記左雄ねじ溝に配置されるクロスボルト用ナット締結装置。
【請求項２】
前記細長部材は、コイルばねにより構成されている請求項１に記載のクロスボルト用ナット締結装置。
【請求項３】
前記細長部材は、形状記憶合金により構成されている請求項１に記載のクロスボルト用ナット締結装置。
【請求項４】
前記細長部材は、線状金属部材により構成されている請求項１又は３に記載のクロスボルト用ナット締結装置。
【請求項５】
前記雌ねじ部は右雌ねじ部である請求項１〜４のいずれか一項に記載のクロスボルト用ナット締結装置。
【請求項６】
右雄ねじ溝を含む右雄ねじ部及び左雄ねじ溝を含む左雄ねじ部を有するクロスボルトと、
前記クロスボルトに螺合可能な雌ねじ部を内側に有し、外側と前記雌ねじ部とを貫通する貫通穴を有するナットと、
変形可能な細長部材と
を準備するステップと、
前記ナットを前記クロスボルトに螺合するステップと、
前記細長部材を前記貫通穴に挿入し、前記左雄ねじ溝へ前記細長部材を配置する挿入ステップと、
を含む、クロスボルト用ナット締結方法。
【請求項７】
前記細長部材は、コイルばねにより構成されている請求項６に記載のクロスボルト用ナット締結方法。
【請求項８】
前記細長部材は形状記憶合金により構成され、前記挿入ステップの後に、前記細長部材を加熱するステップを含む請求項６に記載のクロスボルト用ナット締結方法。
【請求項９】
前記細長部材は、線状金属部材により構成されている請求項６又は８に記載のクロスボルト用ナット締結方法。
【発明の詳細な説明】
【技術分野】
【０００１】
この発明は、クロスボルト用ナット締結装置及びクロスボルト用ナット締結方法に関する。
【背景技術】
【０００２】
ナットの緩みを防止するために、右雄ねじ部と左雄ねじ部とが同一外面に設けられたクロスボルトにナットを締結するクロスボルト用ナット締結装置が知られている。特許文献１に記載されたクロスボルト用ナット締結装置は、１つのクロスボルトに対して、右雌ねじ部を有するナットと左雌ねじ部を有するナットとの２つのナットを締結し、いずれかのナットがクロスボルトに対して緩もうとした場合に、ナット同士が押し合うことによる摩擦力によって緩みを防止する。
【先行技術文献】
【特許文献】
【０００３】
【特許文献１】特開２０１３−０８７９４７号公報
【発明の概要】
【発明が解決しようとする課題】
【０００４】
しかしながら、このようなクロスボルト用ナット締結装置は１つのクロスボルトに対して２つのナットを必要とするため、締結に必要なナットが多くなるという問題点があった。
【０００５】
この発明は、このような課題を解決するためになされたものであり、１つのクロスボルトに対して１つのナットを締結した場合にナットの緩みを防止することができるクロスボルト用ナット締結装置及びクロスボルト用ナット締結方法を提供することを目的とする。
【課題を解決するための手段】
【０００６】
上記の課題を解決するために、この発明に係るクロスボルト用ナット締結装置は、右雄ねじ部及び左雄ねじ部が設けられたクロスボルトと、クロスボルトに螺合されるナットと、変形可能な細長部材とを備えるクロスボルト用ナット締結装置であって、右雄ねじ部は右雄ねじ溝を有し、左雄ねじ部は左雄ねじ溝を有し、ナットは、ナットの内側に設けられた雌ねじ部と、ナットの外側と雌ねじ部とを貫通する貫通穴とを有し、細長部材は、貫通穴に配置されると共に右雄ねじ溝又は左雄ねじ溝に配置される。
【０００７】
また、細長部材は、コイルばねにより構成されてもよい。
また、細長部材は、形状記憶合金により構成されてもよい。
また、細長部材は、線状金属部材により構成されてもよい。
また、雌ねじ部は右雌ねじ部であってもよい。
【０００８】
また、上記の課題を解決するために、この発明に係るクロスボルト用ナット締結方法は、右雄ねじ溝を含む右雄ねじ部及び左雄ねじ溝を含む左雄ねじ部を有するクロスボルトと、クロスボルトに螺合可能な雌ねじ部を内側に有し、外側と雌ねじ部とを貫通する貫通穴を有するナットと、変形可能な細長部材とを準備するステップと、ナットをクロスボルトに螺合するステップと、細長部材を貫通穴に挿入し、左雄ねじ溝へ細長部材を配置する挿入ステップとを含む。
【０００９】
また、細長部材は、コイルばねにより構成されてもよい。
また、細長部材は、形状記憶合金により構成され、挿入ステップの後に、細長部材を加熱するステップを含んでもよい。
また、細長部材は、線状金属部材により構成されてもよい。
【発明の効果】
【００１０】
この発明に係るクロスボルト用ナット締結装置によれば、クロスボルトの右雄ねじ部は右雄ねじ溝を有し、左雄ねじ部は左雄ねじ溝を有し、ナットは、ナットの内側に設けられた雌ねじ部と、ナットの外側と雌ねじ部とを貫通する貫通穴とを有し、細長部材は、貫通穴に配置されると共に右雄ねじ溝又は左雄ねじ溝に配置されるので、１つのクロスボルトに対して１つのナットを締結した場合にナットの緩みを防止することができる。
【図面の簡単な説明】
【００１１】
【図１】この発明の実施の形態に係るクロスボルト用ナット締結装置の概略図である。
【図２】図１に示す穴開きナットの概略図である。
【図３】図１に示すコイルばねの概略図である。
【図４】穴開きナットにコイルばねを挿入する前の状態を示す概略図である。
【図５】穴開きナットにコイルばねを挿入した状態を示す概略図である。
【図６】図５に示すよりもさらに穴開きナットにコイルばねを挿入した状態を示す概略図である。
【図７】図６に示すよりもさらに穴開きナットにコイルばねを挿入した状態を示す概略図である。
【発明を実施するための形態】
【００１２】
以下、この発明の実施の形態について添付図面に基づいて説明する。
図１に示すクロスボルト用ナット締結装置１０は、クロスボルト２０と、穴開きナット３０と、コイルばね４０とから構成されている。
【００１３】
クロスボルト２０には、右雄ねじ部２１と左雄ねじ部２２とが、同一外面に形成されている。右雄ねじ部２１はねじ溝である右雄ねじ溝２３を有しており、左雄ねじ部２２はねじ溝である左雄ねじ溝２４を有している。また、クロスボルト２０に、穴開きナット３０が締めこまれて、すなわち締結されている。穴開きナット３０の外側の側面の１つである側面３１には、穴開きナット３０の外側と内側とを貫通する貫通穴３２が形成されている。貫通穴３２には、コイルばね４０が挿入されている。
【００１４】
図２に示すように、穴開きナット３０は六角ナットの外形を有し、内側に右雌ねじ部３３が形成されている。穴開きナット３０はナットを構成しており、右雌ねじ部３３は雌ねじ部を構成している。貫通穴３２は、側面３１と右雌ねじ部３３の右雌ねじ溝３４とを貫通している。また、貫通穴３２は、右雌ねじ溝３４の谷部の接線方向に延びている。なお、穴開きナット３０の外形は例えば四角ナット等の、六角ナット以外の外形であってもよい。
【００１５】
図３に示すように、コイルばね４０は細長いコイルばねであり、コイルの中心線が湾曲するように曲げられて変形可能である。また、コイルの中心線が湾曲するように曲げた時に、コイルばね４０が弾力性を有することのできる硬鋼線等の金属で形成されている。コイルばね４０のコイルの直径は、右雄ねじ溝２３（図１参照）、左雄ねじ溝２４、貫通穴３２及び右雌ねじ溝３４（図２参照）に挿入可能な適当な大きさに形成されている。コイルばね４０は、細長部材を構成している。
【００１６】
次に、この発明の実施の形態に係るクロスボルト用ナット締結装置の締結方法について説明する。
図１に示すように、穴開きナット３０はクロスボルト２０の所望の位置に締めこまれて締結される。穴開きナット３０がクロスボルト２０に締結されることにより、図示しない被固定部材がクロスボルト用ナット締結装置１０により固定される。このとき、クロスボルト２０の右雄ねじ２１に、穴開きナット３０の右雌ねじ部３３が螺合されている。この状態では穴開きナット３０は、クロスボルト２０に対して締めこみ又は緩め方向に回転可能である。
【００１７】
次に、図４〜図７を用いて、コイルばね４０が貫通穴３２に挿入されるときの穴開きナット３０とコイルばね４０との位置関係を示す。なお、以下の図４〜図７の各図は説明の便宜のためにクロスボルト２０の記載を省略している。また、図４〜図７の各図の（ａ），（ｂ），（ｃ）は、各図において穴開きナット３０及びコイルばね４０を異なる方向から見た図である。（ａ）は穴開きナット３０を略上方から見た図であり、（ｂ）は貫通穴３２へのコイルばね４０の挿入状態を側面３１の斜め上方から見た図であり、（ｃ）は穴開きナット３０の内側において貫通穴３２及び右雌ねじ溝３４へのコイルばね４０の挿入状態を示す図である。
【００１８】
コイルばね４０は、図４（ａ），図４（ｂ），図４（ｃ）のＡで示すように、貫通穴３２へ挿入される。このとき、コイルばね４０は中心線が直線状であり、曲げられていない状態である。
【００１９】
次に、コイルばね４０が図５（ａ）に示すように貫通穴３２に挿入されると、図５（ａ），図５（ｂ）に示すように、コイルばね４０は貫通穴３２に沿って右雌ねじ部３３を進む。貫通穴３２は、右雌ねじ溝３４の谷部の接線方向に延びているので、図５（ｂ），図５（ｃ）に示すように、コイルばね４０は貫通穴３２を経由してさらに右雄ねじ溝２３及び右雌ねじ溝３４に挿入される。このとき、コイルばね４０は右雌ねじ溝３４に沿って挿入されるので、右雌ねじ部３３において中心線が湾曲して円弧状に右回りに曲げられる。
【００２０】
次に、図６（ａ）に示すように、コイルばね４０がさらに深く貫通穴３２に挿入される。すると、図６（ａ）及び図６（ｂ）に示すように、コイルばね４０は、右雌ねじ溝３４に沿って円弧状に右回りに曲げられながらさらに挿入される。図６（ｂ），図６（ｃ）に示すように、このときコイルばね４０は、その先端部が右雌ねじ部３３において、穴開きナット３０の側面３１に対向する位置に位置するまで挿入される。
【００２１】
次に、図７（ａ），図７（ｂ），図７（ｃ）に示すように、コイルばね４０はさらに深く貫通穴３２に挿入され、その後端部が、側面３１からわずかに突出する程度まで挿入される。このとき、図７（ａ）に示すように、コイルばね４０は、その先端部が右雌ねじ部３３の側面３１の近くに位置するまで挿入される。
【００２２】
コイルばね４０が図７（ａ），図７（ｂ），図７（ｃ）に示すように挿入されたときに、コイルばね４０の一端は、クロスボルト２０（図１参照）の右雄ねじ部２１の右雄ねじ溝２３及び左雄ねじ部２２の左雄ねじ溝２４が交差する位置まで到達する。コイルばね４０の先端部が、右雄ねじ溝２３及び右雌ねじ溝３４を通りながら右雄ねじ溝２３及び左雄ねじ溝２４の交差する位置に到達すると、この交差する位置を分岐点として、コイルばね４０は左雄ねじ溝２４の位置に入る。すなわち、コイルばね４０は貫通穴３２に配置されると共に、左雄ねじ溝２４に配置される。
【００２３】
コイルばね４０が左雄ねじ溝２４の位置に入り配置されることにより、クロスボルト２０の右雄ねじ溝２３の一部がコイルばね４０により塞がれる。すると右雌ねじ部３３と右雄ねじ部２１との螺合により穴開きナット３０がクロスボルト２０に対して回転しようとする動きが、コイルばね４０により防止される。これにより、穴開きナット３０の緩みが防止される。
【００２４】
穴開きナット３０をさらに締めこんだり緩めたりする場合には、コイルばね４０を貫通穴３２から引き抜くことで、コイルばね４０により右雄ねじ部２１が塞がれなくなり、穴開きナット３０を締めこんだり緩めたりすることができる。
【００２５】
コイルばね４０は弾力性を有するので、コイルばね４０を貫通穴３２に挿入したり引き抜いたりして何度も使用することが可能である。
【００２６】
また、上記の場合では、図７（ａ），図７（ｂ），図７（ｃ）により示した位置までコイルばね４０が挿入された場合にコイルばね４０が分岐点から左雄ねじ溝２４の位置に入っていたが、クロスボルト２０と穴開きナットと３０との締結位置によっては、図７（ａ），図７（ｂ），図７（ｃ）により示した位置よりも浅い挿入位置（例えば、図５（ａ），図５（ｂ），図５（ｃ）又は図６（ａ），図６（ｂ），図６（ｃ））でコイルばね４０が分岐点から左雄ねじ溝２４の位置に入る場合がある。すなわち、コイルばね４０は貫通穴３２に配置されると共に、左雄ねじ溝２４に配置される。その場合にも、コイルばね４０が左雄ねじ溝２４の位置に入ることで、右雄ねじ溝２３の一部がコイルばね４０により塞がれることで、穴開きナット３０がクロスボルト２０に対して回転しようとする動きが、コイルばね４０により防止され、穴開きナット３０の緩みが防止される。
【００２７】
また、上記の場合では、コイルばね４０が分岐点から左雄ねじ溝２４の位置に入り配置されることにより、クロスボルト２０の右雄ねじ溝２３の一部がコイルばね４０により塞がれることで、穴開きナット３０の緩みが防止されていた。しかし、クロスボルト２０と穴開きナット３０との締結位置によっては、コイルばね４０が分岐点に入る前に、右雄ねじ溝２３によりコイルばね４０の挿入が妨げられる。すなわち、コイルばね４０は貫通穴３２に配置されると共に右雄ねじ溝２３に配置される。その場合にも、コイルばね４０により穴開きナット３０がクロスボルト２０に対して回転しようとする動きがコイルばね４０により防止され、穴開きナット３０の緩みが防止される。
【００２８】
このように、右雄ねじ部２１及び左雄ねじ部２２が設けられたクロスボルト２０と、クロスボルト２０に螺合されるナット３０と、変形可能な細長部材とを備えるクロスボルト用ナット締結装置であって、右雄ねじ部２１は右雄ねじ溝２３を有し、左雄ねじ部２２は左雄ねじ溝２４を有し、穴開きナット３０は、穴開きナット３０の内側に設けられた右雌ねじ部３３と、穴開きナット３０の外側と右雌ねじ部３３とを貫通する貫通穴３２とを有し、細長部材は、貫通穴３２に配置されると共に左雄ねじ溝２４に配置されるので、１つのクロスボルトに対して１つのナットを締結した場合にナットの緩みを防止することができる。
【００２９】
また、右雄ねじ溝２３を含む右雄ねじ部２１及び左雄ねじ溝２４を含む左雄ねじ部２２を有するクロスボルト２０と、クロスボルト２０に螺合可能な右雌ねじ部３３を内側に有し、外側と右雌ねじ部３３とを貫通する貫通穴３２を有する穴開きナット３０と、変形可能な細長部材とを準備するステップと、穴開きナット３０をクロスボルト２０に螺合するステップと、細長部材を貫通穴に３２挿入し、左雄ねじ溝へ細長部材を配置する挿入ステップとを含むので、１つのクロスボルトに対して１つのナットを締結した場合にナットの緩みを防止することができる。
【００３０】
また、細長部材は、コイルばね４０により構成されているので、コイルばね４０が弾力性を有することにより、コイルばね４０を貫通穴３２に挿入したり引き抜いたりして何度も使用することができる。
【００３１】
また、右雌ねじ部３３は右雌ねじ部であるので、従来のクロスボルト用ナット締結装置に用いられていた右雌ねじ部を有するナットに貫通穴３２を設けるだけで、この実施の形態に用いる穴開きナット３０を構成することができる。
トに対して１つのナットを締結した場合にナットの緩みを防止することができる。
【００３２】
また、この実施の形態では、コイルばね４０を細長部材として用いていたが、コイルばね４０に代えて、ニッケル・チタン合金や銅・アルミニウム・ニッケル合金等の形状記憶合金で設けられた、線状金属部材を構成するワイヤーを用いてもよい。すなわち、細長部材は形状記憶合金により構成されていてもよい。また、形状記憶合金のワイヤーを貫通穴３２に挿入し、左雄ねじ溝２４へ形状記憶合金のワイヤーを配置するステップの次に、形状記憶合金のワイヤーを加熱するステップを含んでもよい。
【００３３】
例えば、右雌ねじ部３３に沿うような円弧状の形状を記憶させた形状記憶合金のワイヤーを直線状にして細長部材を構成し、この実施の形態の図７（ａ），図７（ｂ），図７（ｃ）に示すコイルばね４０と同じように貫通穴３２に挿入する。その後に貫通穴３２側から形状記憶合金のワイヤーの後端部を加熱して円弧状の形状に復元することで、右雌ねじ溝３４、右雄ねじ部２１及び左雄ねじ溝２４に沿って適合する円弧状の形状で固定することができる。弾力性を有するコイルばね４０よりも形状記憶合金の方が、右雌ねじ溝３４、右雄ねじ部２１及び左雄ねじ溝２４に沿って挿入されやすく、挿入後に復元させることができるので穴開きナットの３０の締結作業が行いやすくなる利点がある。
【００３４】
さらに、細長部材は、コイルばね４０に代えて形状記憶合金以外の金属で形成されていてもよい。例えば銅線等のワイヤーで構成されてもよい。これにより、クロスボルト用ナット締結装置及びクロスボルト用ナット締結方法に係る部品価格を低減することができる。
【００３５】
なお、この実施の形態では穴開きナット３０の雌ねじ部は右雌ねじ部３３であったが、左雌ねじ部であってもよい。穴開きナット３０の雌ねじ部を左雌ねじ部とした場合でも、従来のクロスボルト用ナット締結装置に用いられていた左雌ねじ部を有するナットに貫通穴を設けるだけで、この実施の形態に用いる穴開きナット３０を構成することができる。  
【００３６】
また、この実施の形態では、１つのクロスボルト２０に対して穴開きナット３０を１つ用いて締結していたが、雌ねじ部が右雌ねじ部であるナット及び雌ねじ部が左雌ねじ部であるナットをクロスボルト２０に螺合し、これらのナットのいずれか１つ又は両方のナットを穴開きナットとする構成であってもよい。すなわち、少なくとも１つの穴開きナットを含む２つのナットを用いて締結する構成であってもよい。これにより、ナットを２つ用いるクロスボルト用ナット締結装置及びクロスボルト用ナット締結方法であっても、ナットの緩みを防止することができる。
【符号の説明】
【００３７】
１０  クロスボルト用ナット締結装置、２０  クロスボルト、２１  右雄ねじ部、２２  左雄ねじ部、２３  右雄ねじ溝、２４  左雄ねじ溝、３０  穴開きナット（ナット）、３２  貫通穴、３３  右雌ねじ部（雌ねじ部）、４０  コイルばね（細長部材）。
【図１】
2019120330.tif 000003
【図２】
2019120330.tif 000004
【図３】
2019120330.tif 000005
【図４】
2019120330.tif 000006
【図５】
2019120330.tif 000007
【図６】
2019120330.tif 000008
【図７】
2019120330.tif 000009